(57)【特許請求の範囲】
【請求項１】
二次元配列された受光部を有することにより原稿の画像を二次元方向に読み取ることができる画像読取部と、
前記画像読取部で前記原稿の画像を読み取らせる際に前記原稿を入り込ませる空間を形成し、且つ、前記原稿の挿抜が可能な原稿挿抜口が設けられる読取室を、少なくとも前記画像読取部と共に形成するカバー部と、
前記原稿が前記読取室に挿入された場合に、前記画像読取部に対して前記原稿の画像の読み取りを開始させる読取開始指示部と、
を備え、
前記カバー部には、前記画像読取部に対向する位置に、前記原稿の挿抜方向に直交する向きに開口し、且つ、前記原稿の挿抜方向が長手方向となる長穴状に形成された前記読取室の開口部分である開口部が形成されていることを特徴とする画像読取装置。
【請求項２】
前記開口部には、前記読取室への前記原稿の挿抜に連動して開閉可能な蓋部が設けられていることを特徴とする請求項１に記載の画像読取装置。
【請求項３】
前記読取室には、前記読取室への前記原稿の挿入方向における前記原稿挿抜口の反対側に、前記原稿の移動を規制する移動規制部が設けられていることを特徴とする請求項１または２に記載の画像読取装置。
【請求項４】
前記移動規制部には、前記原稿が前記移動規制部に当接したことを検知する当接検知部が設けられており、
前記読取開始指示部は、前記原稿が前記移動規制部に当接したことを前記当接検知部で検知した場合に、前記画像読取部に対して前記原稿の画像の読み取りを開始させることを特徴とする請求項３に記載の画像読取装置。
【請求項５】
前記読取室には、前記読取室に挿入された前記原稿を前記画像読取部の方向に押圧する押圧機構が設けられていることを特徴とする請求項１〜４のいずれか１項に記載の画像読取装置。
【請求項６】
前記原稿挿抜口は、前記画像読取部側の部分と前記画像読取部から離れた位置側の部分とで、前記原稿の挿抜方向における位置が異なっていることを特徴とする請求項１〜５のいずれか１項に記載の画像読取装置。
【請求項７】
さらに、各部に供給する電気の管理を、前記読取室への前記原稿の挿入状態に基づいて行う電源管理部を備えることを特徴とする請求項１〜６のいずれか１項に記載の画像読取装置。
【請求項８】
さらに、前記画像読取部での前記原稿の画像の読取状態を通知する読取状態通知部を備えることを特徴とする請求項１〜７のいずれか１項に記載の画像読取装置。
【請求項９】
さらに、前記画像読取部での前記原稿の画像の読み取り中に、前記原稿の移動を停止させる移動停止機構を備えることを特徴とする請求項１〜８のいずれか１項に記載の画像読取装置。
【発明の詳細な説明】
【技術分野】
【０００１】
本発明は、画像読取装置に関する。
【背景技術】
【０００２】
画像読取装置は、検出した光を電気信号に変換する受光素子を備え、画像を読み取る原稿で反射した光を、この受光素子で検出して電気信号に変換することにより、原稿の画像を電気的に処理している。このような画像読取装置では、一般的には、開閉可能な圧板を開き、下方に画像読取部が設けられるガラス板上に原稿を載置して圧板を閉じて圧板によって原稿を押圧した状態で、画像読取部によって原稿の画像を読み取るものが多くなっている。
【０００３】
しかし、このような画像読取装置では、圧板を開閉する必要があるなど、画像を読み取る際における手順が多いため、画像の読み取り時の操作が煩わしいものになっている。またこのような従来の画像読取装置では、このように開閉可能で、原稿を押圧する圧板を設ける必要があるなど、装置全体が大型化し易くなっている。このため、従来の画像読取装置の中には、原稿の画像の読み取り時における操作の簡略化や、装置の小型化を図っているものがある。
【０００４】
例えば、特許文献１に記載された携帯型スキャナでは、本体ケースの外面には、原稿であるプリントを挿入するスロットイン部を備え、本体ケースの内部には、光学ユニットとプリント支持機構とを設けている。これにより、圧板のような原稿を押圧する部材や、圧板を開閉する機構を設ける必要が無くなるため、装置の小型化を図ることができる。また、原稿の画像を読み取る際には、原稿をスロットイン部から挿入するのみで読み取ることができるため、読み取り時における操作を容易なものにすることができる。
【先行技術文献】
【特許文献】
【０００５】
【特許文献１】特開２００５−２６０４０２号公報
【発明の概要】
【発明が解決しようとする課題】
【０００６】
ここで、小型化を図った画像読取装置では、使用者が手で持った状態で使用することが想定されるが、特許文献１に記載された携帯型スキャナでは、本体ケース内に光学ユニットのみでなく、プリントを搬送するガイドローラや、プリントを押圧するプリント支持機構も設けられている。このため、これらの機器の分、装置の大きさが大きくなり易くなり、装置を手で持った状態で原稿の読み取り操作を行うのは、困難な場合がある。また、特許文献１に記載された携帯型スキャナのように、プリントを搬送するガイドローラ等の機械的な走査機構が設けられている場合、振動に弱いため読み取った画質が不鮮明になったり、画像を読み取る際の走査に時間がかかったりする場合があった。
【０００７】
本発明は、上記に鑑みてなされたものであって、装置を簡略化して、より小型化を図ると共に、鮮明な画像を短時間で読み取ることのできる画像読取装置を提供することを目的とする。
【課題を解決するための手段】
【０００８】
上述した課題を解決し、目的を達成するために、この発明に係る画像読取装置は、二次元配列された受光部を有することにより原稿の画像を二次元方向に読み取ることができる画像読取部と、前記画像読取部で前記原稿の画像を読み取らせる際に前記原稿を入り込ませる空間を形成し、且つ、前記原稿の挿抜が可能な原稿挿抜口が設けられる読取室を、少なくとも前記画像読取部と共に形成するカバー部と、前記原稿が前記読取室に挿入された場合に、前記画像読取部に対して前記原稿の画像の読み取りを開始させる読取開始指示部と、を備えることを特徴とする。
【０００９】
この発明では、原稿の画像を読み取る画像読取部は、受光部が二次元配列され、原稿の画像を二次元方向に読み取ることが可能になっている。このため、原稿の画像を読み取る際に、原稿と画像読取部とを相対的に移動させる必要がなくなるため、原稿の搬送機構等の機械的な走査機構が不要になり、装置の簡略化を図ることができる。また、原稿の画像の読み取り時に、このような機械的な走査機構を作動させないで読み取るので、画像を読み取っている最中に振動が発生した場合でも、原稿と画像読取部との相対位置にブレを発生させることなく読み取ることができる。このため、走査機構を作動させて原稿の画像を読み取る場合のように、画像を読み取っている最中に振動が発生した場合に、原稿と画像読取部との相対位置にブレが生じ、読み取った画像の画質が不鮮明になることを抑制できる。さらに、原稿の画像を読み取る際に、機械的な走査機構を作動させず、二次元配列された受光部によって原稿の画像を二次元方向に読み取るので、短時間で読み取ることができる。これらの結果、装置を簡略化して、より小型化を図ると共に、鮮明な画像を短時間で読み取ることができる。
【００１０】
また、上記画像読取装置において、前記カバー部には、前記原稿の挿抜方向に直交する方向に開口した前記読取室の開口部分である開口部が形成されていることが好ましい。
【００１１】
この発明では、原稿の画像を読み取る際に原稿を入り込ませる読取室の開口部分である開口部を、カバー部に形成しているため、原稿の画像の読み取り時に、原稿を読取室に入り込ませた場合に、使用者が開口部から指で原稿を所望の位置に移動させ、原稿を画像読取部の方向に指で押さえつけることができる。これにより、原稿の搬送機構を省いた場合でも、容易に、原稿の画像を画像読取部で読み取るのに適した位置に原稿を移動させることができる。さらに、原稿を画像読取部の方向に指で押さえつけることができるので、原稿を押圧する機構を省くことができる。これらの結果、より確実に、装置を簡略化して、より小型化を図ると共に、鮮明な画像を読み取ることができ、さらに、使い勝手の向上を図ることができる。
【００１２】
また、上記画像読取装置において、前記開口部には、前記読取室への前記原稿の挿抜に連動して開閉可能な蓋部が設けられていることが好ましい。
【００１３】
この発明では、開口部に開閉可能な蓋部が設けられているので、読取室に原稿が挿入されていない場合に、読取室の開口部分である開口部からゴミ等が読取室に侵入することを抑制し、画像読取部にゴミや埃等が付着することを抑制することができる。この結果、より確実に、原稿の画像を鮮明に読み取ることができる。
【００１４】
また、上記画像読取装置において、前記読取室には、前記読取室への前記原稿の挿入方向における前記原稿挿抜口の反対側に、前記原稿の移動を規制する移動規制部が設けられていることが好ましい。
【００１５】
この発明では、読取室に移動規制部を設けているので、原稿の画像の読み取り時に原稿を読取室に挿入した際に、移動規制部によって移動が規制されるまで原稿を移動させればよいので、容易に、原稿を適切な位置に配置することができる。従って、より確実に、且つ、容易に、原稿の所望の範囲を画像読取部で読み取ることができる。この結果、原稿の画像を読み取る際における操作性を向上させることができる。
【００１６】
また、上記画像読取装置において、前記移動規制部には、前記原稿が前記移動規制部に当接したことを検知する当接検知部が設けられており、前記読取開始指示部は、前記原稿が前記移動規制部に当接したことを前記当接検知部で検知した場合に、前記画像読取部に対して前記原稿の画像の読み取りを開始させることが好ましい。
【００１７】
この発明では、移動規制部に当接検知部を設け、原稿が移動規制部に当接したことを当接検知部で検知した場合に、原稿の画像の読み取りを開始するので、より確実に、原稿が所望の位置に配置された状態で画像を読み取ることができる。さらに、このように、原稿が移動規制部に当接したことを検知した場合に、読み取りを開始するので、より容易に、原稿の画像を読み取ることができる。この結果、より確実に、原稿の画像を読み取る際における操作性を向上させることができる。
【００１８】
また、上記画像読取装置において、前記読取室には、前記読取室に挿入された前記原稿を前記画像読取部の方向に押圧する押圧機構が設けられていることが好ましい。
【００１９】
この発明では、読取室には原稿を押圧する押圧機構が設けられているので、原稿をより確実に画像読取部の方向に押圧することができる。これにより、原稿の画像を読み取る際に、より確実に原稿を画像読取部に密着させた状態で読み取ることができる。この結果、より確実に、原稿の画像を鮮明に読み取ることができる。
【００２０】
また、上記画像読取装置において、前記原稿挿抜口は、前記画像読取部側の部分と前記画像読取部から離れた位置側の部分とで、前記原稿の挿抜方向における位置が異なっていることが好ましい。
【００２１】
この発明では、原稿挿抜口における画像読取部側の部分と画像読取部から離れた位置側の部分とで挿抜方向における位置を異ならせているので、原稿を原稿挿抜口から読取室に挿入する際に、一度に画像読取部側の部分と画像読取部から離れた位置側の部分との間に入れる必要が無くなる。これにより、原稿を容易に原稿挿抜口から読取室に挿入することができる。この結果、より確実に、原稿の画像を読み取る際における使い勝手を向上させることができる。
【００２２】
また、上記画像読取装置において、さらに、各部に供給する電気の管理を、前記読取室への前記原稿の挿入状態に基づいて行う電源管理部を備えることが好ましい。
【００２３】
この発明では、読取室への原稿の挿入状態に基づいて電気の管理を行うので、原稿の画像を読み取る際に、手動で電源を入れる必要が無く、また、画像の読み取り時以外は、電気の供給を停止することにより、電気の消費量を低減することができる。この結果、より確実に、原稿の画像を読み取る際における操作性を向上させることができ、また、消費電力の低減を図ることができる。
【００２４】
また、上記画像読取装置において、さらに、前記画像読取部での前記原稿の画像の読取状態を通知する読取状態通知部を備えることが好ましい。
【００２５】
この発明では、読取状態通知部を備えているので、画像読取部で原稿の画像を読み取る際に、原稿の画像の読取状態を使用者が容易に認識することができ、例えば、現在原稿を読み取っている状態であるか否かを、容易に認識することができる。この結果、より確実に、原稿の画像を読み取る際における使い勝手を向上させることができる。
【００２６】
また、上記画像読取装置において、さらに、前記画像読取部での前記原稿の画像の読み取り中に、前記原稿の移動を停止させる移動停止機構を備えることが好ましい。
【００２７】
この発明では、移動停止機構を備えているので、原稿を読み取っている最中に原稿が移動することを抑制することができ、読み取っている最中の原稿の移動に起因して、読み取った画像がブレることを抑制することができる。この結果、より確実に、原稿の画像を読み取る際における使い勝手を向上させることができ、また、より確実に、原稿の画像を鮮明に読み取ることができる。
【発明の効果】
【００２８】
本発明に係る画像読取装置は、装置を簡略化して、より小型化を図ると共に、鮮明な画像を短時間で読み取ることができる、という効果を奏する。
【図面の簡単な説明】
【００２９】
【図１】図１は、実施形態１に係る画像読取装置の平面図である。
【図２】図２は、図１のＡ−Ａ矢視図である。
【図３】図３は、図１に示す画像読取装置の斜視図である。
【図４】図４は、図１のＢ−Ｂ断面図である。
【図５】図５は、図１に示す画像読取装置の分解斜視図である。
【図６】図６は、図５に示すセンサパネルの構成を示す断面図である。
【図７】図７は、上カバーを本体部側から見た場合における斜視図である。
【図８】図８は、上カバーを本体部側から見た場合における平面図である。
【図９】図９は、図１に示す画像読取装置の構成の概略を示す図である。
【図１０】図１０は、原稿の画像を読み取る場合における説明図である。
【図１１】図１１は、原稿を読取室に入り込ませた場合における原稿の状態を示す説明図である。
【図１２】図１２は、原稿を指で移動させる際における説明図である。
【図１３】図１３は、原稿の画像の読み取り時における処理手順の概略を示すフロー図である。
【図１４】図１４は、実施形態２に係る画像読取装置の要部断面図である。
【図１５】図１５は、図１４に示す画像読取装置の構成の概略を示す図である。
【図１６−１】図１６−１は、図１４に示す画像読取装置での原稿の挿抜による開閉蓋の動作を示す説明図である。
【図１６−２】図１６−２は、図１４に示す画像読取装置での原稿の挿抜による開閉蓋の動作を示す説明図である。
【図１６−３】図１６−３は、図１４に示す画像読取装置での原稿の挿抜による開閉蓋の動作を示す説明図である。
【図１６−４】図１６−４は、図１４に示す画像読取装置での原稿の挿抜による開閉蓋の動作を示す説明図である。
【図１７】図１７は、実施形態２に係る画像読取装置で原稿の画像を読み取る場合における処理手順の概略を示すフロー図である。
【図１８】図１８は、実施形態１に係る画像読取装置の変形例であり、上カバーを本体部側から見た場合における平面図である。
【図１９】図１９は、読取室の幅に対する幅が小さい原稿を読取室に挿入する場合における説明図である。
【図２０】図２０は、図１８に示す画像読取装置の読取室に原稿を挿入する場合における説明図である。
【図２１】図２１は、開口部の変形例を示す説明図である。
【図２２】図２２は、開口部の変形例を示す説明図である。
【発明を実施するための形態】
【００３０】
以下に、本発明に係る密着型画像読取装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００３１】
〔実施形態１〕
図１は、実施形態１に係る画像読取装置の平面図である。図２は、図１のＡ−Ａ矢視図である。図３は、図１に示す画像読取装置の斜視図である。同図に示す画像読取装置１は、薄型の略直方体の形状で形成されており、外形は、当該画像読取装置１の本体部２０の筐体である下カバー２１と、この下カバー２１に組み合わされる上カバー５とにより形成されている。また、この画像読取装置１は、原稿として小型のカード類の画像を読み取ることを想定して形成されており、このため、画像読取装置１の大きさは、当該画像読取装置１の使用者が片手で持つことができる程度の大きさになっている。
【００３２】
この程度の大きさで形成される画像読取装置１は、詳しくは、外形は略板状の形状で形成されており、この板状の厚さ方向における一方の面側が上カバー５により形成され、他方の面側が下カバー２１により形成されており、上カバー５と下カバー２１とは、板状の側面で接続されている。このように、画像読取装置１の一方の面を形成する上カバー５は、概ね外周部分のみが本体部２０に接続されており、大部分が本体部２０から離間している。このため、上カバー５と本体部２０との間には空間が形成されており、この空間は、本実施形態１に係る画像読取装置１で原稿の画像を読み取る際に、原稿を入り込ませる空間である読取室３として形成されている。
【００３３】
このように形成される読取室３は、外部に対して開口し、原稿の挿抜が可能な原稿挿抜口を有しており、この原稿挿抜口は、本実施形態１に係る画像読取装置１の形状である略板状の形状における側面に、細長い矩形状の形状で開口したスリット１０として設けられている。このように読取室３の原稿挿抜口として設けられるスリット１０は、当該スリット１０を形成する部分、即ち、読取室３における端部の位置が、本体部２０寄りの部分と本体部２０から離れている部分とで異なっている。詳しくは、スリット１０における本体部２０から離れている部分である上側端部１１は、スリット１０における本体部２０寄りの部分である下側端部１２よりも、当該スリット１０が形成される側面から離れている。このようにスリット１０は、上側端部１１と下側端部１２とで段差を有して形成されている。
【００３４】
また、上カバー５には、長穴状の形状で形成された開口部６が形成されている。この開口部６は、画像読取装置１における上カバー５側の面を上面とし、本体部２０側の面を下面とした場合における上面に形成されている。つまり、開口部６は、上カバー５の平面部分に形成されており、当該開口部６の形状である長穴の長手方向が、スリット１０が形成される側面に直交する向きとなって所定の長さで形成されている。その位置は、開口部６の形状である長穴の中心が、スリット１０の長さ方向における中心の位置とほぼ一致する位置となって、開口部６は配設されている。また、開口部６は、このように上カバー５の平面部分に形成される長穴として形成されているため、読取室３は、この開口部６によっても外部に対して開口している。
【００３５】
図４は、図１のＢ−Ｂ断面図である。また、本体部２０には、原稿の画像を読み取ることができる画像読取部であるセンサパネル２５が設けられており、このセンサパネル２５は、本体部２０における上カバー５側の面に配設されている。このため、センサパネル２５は、読取室３の一部を構成している。換言すると、読取室３は、少なくともセンサパネル２５と上カバー５とが用いられて形成されており、上カバー５は、このように読取室３を少なくともセンサパネル２５と共に形成するカバー部として設けられている。
【００３６】
また、読取室３は、スリット１０が形成される側の端部の反対側の端部が閉塞しており、この部分は、読取室３に原稿を入り込ませた際における原稿の移動を規制する移動規制部であるストッパー１７として設けられている。このストッパー１７は、上カバー５から本体部２０側に向かって形成されており、読取室３の壁部として設けられている。また、ストッパー１７には、読取室３に原稿が入り込んだ際に、原稿がストッパー１７に当接したことを検知する当接検知部であるセット検知スイッチ１８が設けられている。
【００３７】
図５は、図１に示す画像読取装置の分解斜視図である。また、上カバー５と下カバー２１と間には、様々な機器が内設されているが、次に、これらの機器について説明すると、下カバー２１により覆われる本体部２０は、原稿の画像を読み取り可能なセンサパネル２５と、画像読取装置１の電源のＯＮとＯＦＦとの切替えスイッチ（図示省略）が設けられると共に、切替えスイッチの状態に応じて電気の供給を切り替えるスイッチ基板４７と、各部の制御を行う制御基板４０とを有している。このうち、スイッチ基板４７と制御基板４０とは、下カバー２１に内設され、センサパネル２５は、これらのように下カバー２１に各機器が内設された状態で、上カバー５側の面から下カバー２１を覆って取り付けられる。このため、本体部２０は、センサパネル２５が上カバー５に対向し、上カバー５に面する状態で形成されている。
【００３８】
また、画像読取装置１の電源であるバッテリー４８は、本体部２０に、容易に交換可能な状態で備えられる。画像読取装置１が有する電気で作動する各機器は、このバッテリー４８から供給される電気によって作動可能になっている。
【００３９】
図６は、図５に示すセンサパネルの構成を示す断面図である。ここで、センサパネル２５について説明すると、センサパネル２５は、バックライト３０と、このバックライト３０上に設けられる透明なガラス基板２７と、ガラス基板２７上に所定の間隔で二次元配列状に複数が配設されると共に、光を受光した際に受光した光を電気信号に変換する受光部である受光素子２８とが、積層されて設けられている。このうち、ガラス基板２７上に配設される受光素子２８は、詳しくはガラス基板２７におけるバックライト３０が位置する側の反対側の面に配設されている。センサパネル２５は、このように受光素子２８が二次元配列状に複数配設される、二次元密着型のセンサパネル２５である二次元密着型エリアセンサとして設けられている。
【００４０】
また、バックライト３０は、光源であるＬＥＤ（Ｌｉｇｈｔ  Ｅｍｉｔｔｉｎｇ  Ｄｉｏｄｅ）３３と、このＬＥＤ３３で発した光をガラス基板２７全体に導く導光板３１及び反射板３２と、を備えている。このように、光源としてＬＥＤ３３が用いられるセンサパネル２５では、ＬＥＤ３３をＲ（Ｒｅｄ）、Ｇ（Ｇｒｅｅｎ）、Ｂ（Ｂｌｕｅ）の３色とし、順次発光して画像を読み取り、読み取った画像を合成することでカラー画像を得ることができる。なお、ＬＥＤ３３をＲＧＢ３色にする代わりに、受光素子２８にＲＧＢのカラーフィルターを備えることでも、カラー化が可能になる。
【００４１】
また、バックライト３０が有する光源は、本実施形態１に係る画像読取装置１ではＬＥＤ３３を用いているが、この光源はＬＥＤ３３以外のものを用いてもよく、例えば、ＣＣＦＬ（Ｃｏｌｄ  Ｃａｔｈｏｄｅ  Ｆｌｕｏｒｅｓｃｅｎｔ  Ｌａｍｐ）等の光源を用いてもよい。
【００４２】
また、バックライト３０は、ガラス基板２７における受光素子２８が位置する側の反対側に設けられているが、このバックライト３０は、ＬＥＤ３３の発光時に、ＬＥＤ３３で発した光を導光板３１と反射板３２とによってガラス基板２７全体に導くことが可能になっており、また、ガラス基板２７は透明な部材により設けられている。これらのため、ＬＥＤ３３の発光時、即ち、バックライト３０の発光時には、バックライト３０からの光はガラス基板２７を透過し、複数の受光素子２８同士の間から、ガラス基板２７においてバックライト３０が位置する側の反対側の方向に照射される。
【００４３】
このように、透明に設けられるガラス基板２７上における複数の受光素子２８同士の間の部分は、バックライト３０の発光時に、この光を用いて、ガラス基板２７においてバックライト３０が位置する側の反対側の方向に発光可能な発光部２９として設けられている。つまり、ガラス基板２７上に配設される受光素子２８同士は離間しているので、発光部２９は、各受光素子２８の周囲にそれぞれ設けられた状態になっている。また、これらのようにガラス基板２７には受光素子２８が設けられていると共に発光部２９も設けられており、このため、受光素子２８を含めたガラス基板２７からなる層は、受光と発光とが可能な受発光層２６として設けられている。
【００４４】
このように設けられるセンサパネル２５は、受発光層２６に設けられる受光素子２８で、原稿で反射した光を受光し、受光した光を電気信号に変換することにより原稿の画像を読み取ることができるように設けられているため、センサパネル２５で原稿の画像を読み取る場合は、センサパネル２５において受光素子２８が設けられている側の面で読み取る。また、センサパネル２５は、原稿の画像を読み取る側の面の反対側に原稿を照射する照射光を発光するバックライト３０が配設されている。センサパネル２５は、これらのように設けられているため、このセンサパネル２５は、バックライト３０からの光が向かう面、及び受光素子２８で光を受光する側の面が、上カバー５側に面する向きで配設されている。
【００４５】
図７は、上カバーを本体部側から見た場合における斜視図である。図８は、上カバーを本体部側から見た場合における平面図である。上カバー５には、スリット１０が設けられる側の端部の反対側の端部にストッパー１７が設けられているが、上カバー５には、さらに、読取室３に原稿が入り込んだ際における、スリット１０とストッパー１７との間の移動方向に直交する方向の原稿の移動を規制するサイドガイド１６が設けられている。
【００４６】
このサイドガイド１６は、ストッパー１７と同様に上カバー５から本体部２０側に向かって形成されており、読取室３の壁部として設けられている。また、このサイドガイド１６は、ストッパー１７の両端と、スリット１０の両端を接続して形成されている。即ち、サイドガイド１６は、２つのサイドガイド１６が対向して形成されている。このように設けられるサイドガイド１６は、ストッパー１７側の位置におけるサイドガイド１６同士の間隔よりも、スリット１０側の位置におけるサイドガイド１６同士の間隔の方が広くなっている。
【００４７】
詳しくは、サイドガイド１６は、ストッパー１７寄りの部分では、対向する２つのサイドガイド１６が、共にストッパー１７やスリット１０の直交する向きで形成され、２つのサイドガイド１６が略平行に形成されている。これに対し、スリット１０寄りの部分では、サイドガイド１６は、ストッパー１７側からスリット１０側に向かうに従って、対向する２つのサイドガイド１６同士の間隔が広くなっている。つまり、２つのサイドガイド１６は、スリット１０とストッパー１７との間における所定の位置で屈曲し、この部分よりもスリット１０側では、スリット１０に近付くに従って２つのサイドガイド１６同士の間隔が広くなっており、屈曲した部分よりもストッパー１７側では、２つのサイドガイド１６同士は略平行に形成されている。
【００４８】
また、サイドガイド１６において、対向する２つのサイドガイド１６同士が略平行に形成されている部分のサイドガイド１６同士の距離は、本実施形態１に係る画像読取装置１で画像を読み取る原稿の幅よりも、若干大きい程度の距離になっている。このため、サイドガイド１６における、２つのサイドガイド１６同士が略平行に形成されている部分よりもスリット１０寄りに位置する部分、及びスリット１０の長さは、原稿の幅よりも大きくなっている。
【００４９】
また、上カバー５には、開口部６が形成されている面における読取室３側の面、或いは本体部２０側の面に、弾力性を有する板バネ１４が設けられている。この板バネ１４は、スリット１０の長さ方向における中心を中心として、２つの板バネ１４が同程度の距離で、スリット１０の長さ方向、或いはストッパー１７の長さ方向に離れて設けられている。また、スリット１０とストッパー１７との距離方向における２つの板バネ１４の配設位置は、共に同程度の所定の位置に配設されている。これらの位置に配設される板バネ１４は、弾力性を有することにより、本体部２０の方向への付勢力の付与が可能になっている。
【００５０】
図９は、図１に示す画像読取装置の構成の概略を示す図である。これらのように設けられる画像読取装置１は、制御基板４０によって制御可能になっており、この制御基板４０と、アクチュエータであるセンサパネル２５及びセンサであるセット検知スイッチ１８とは、原稿の画像を読み取る際に動作をする読取動作部４５となっている。このうち制御基板４０には、処理部、記憶部及び入出力部が設けられており、処理部には、各種の演算処理を行うＣＰＵ（Ｃｅｎｔｒａｌ  Ｐｒｏｃｅｓｓｉｎｇ  Ｕｎｉｔ）４１が設けられている。
【００５１】
また、処理部は、センサパネル２５による画像の読み取りの制御が可能に設けられており、原稿が読取室３に挿入された場合に、センサパネル２５に対して原稿の画像の読み取りを開始させる読取開始指示部であるセンサ制御部４２と、センサパネル２５で読み取った画像を取り込む出力取込部４３と、センサパネル２５で画像を読み取る原稿の読取室３へのセットの状態をセット検知スイッチ１８での検出結果に基づいて検出する原稿セット検出部４４と、を有している。
【００５２】
この実施形態１に係る画像読取装置１は、以上のごとき構成からなり、以下、その作用について説明する。図１０は、原稿の画像を読み取る場合における説明図である。この画像読取装置１で原稿５０の画像を読み取る場合には、原稿５０をスリット１０より、読取室３に挿入する。即ち、スリット１０の上側端部１１と下側端部１２との間から、原稿５０をスリット１０に挿入し、原稿５０を読取室３に入り込ませる。
【００５３】
図１１は、原稿を読取室に入り込ませた場合における原稿の状態を示す説明図である。ここで、原稿５０を読取室３に入り込ませる場合について説明すると、スリット１０の長さは、略矩形状に形成される原稿５０における対向する辺同士の間隔のうち、大きい方の間隔よりも長くなっている。つまり、スリット１０の長さは、原稿５０の幅よりも長くなっている。このため、原稿５０をスリット１０に挿入する際には、容易に挿入することができる。
【００５４】
また、読取室３の壁部として設けられるサイドガイド１６は、スリット１０寄りの部分では、スリット１０に近付くに従って２つのサイドガイド１６同士の間隔が広くなっており、換言すると、スリット１０側からストッパー１７の方向に向かうに従って、対向する２つのサイドガイド１６同士の間隔が狭くなっている。また、対向する２つのサイドガイド１６は、ストッパー１７寄りの部分では、原稿５０の幅よりも若干大きい程度の距離で離間して平行に形成されている。
【００５５】
このため、スリット１０に挿入された原稿５０は、スリット１０側からストッパー１７の方向に深く入り込ませるに従って、原稿５０はサイドガイド１６の間隔方向における位置がサイドガイド１６に導かれることによって適切な位置になる。これにより、原稿５０は、ストッパー１７寄りの部分に形成されて２つが平行な状態で対向しているサイドガイド１６の間に導かれる。
【００５６】
また、このように、原稿５０をスリット１０側からストッパー１７の方向に深く入り込ませることにより、原稿５０が、この２つが平行な状態で対向しているサイドガイド１６の間に入り込んだ場合には、矩形状の形状で形成される原稿５０は、サイドガイド１６の近傍に位置する辺がサイドガイド１６に沿った向きになるように、原稿５０を挿入する際の力によって向きが調節される。
【００５７】
図１２は、原稿を指で移動させる際における説明図である。スリット１０から読取室３に挿入した原稿５０は、このようにサイドガイド１６に沿わせることにより深く入り込ませるが、このように、読取室３に挿入した原稿５０を移動させる場合には、使用者の指１０１で移動させる。詳しく説明すると、本実施形態１に係る画像読取装置１で原稿５０の画像を読み取る場合には、使用者が片方の手１００で持った状態で、もう一方の手で原稿５０をスリット１０から挿入する。また、上カバー５には、当該上カバー５の上面部分に開口することにより原稿５０の挿抜方向に直交する方向に開口した、読取室３の開口部分である開口部６が形成されている。このため、原稿５０をスリット１０から挿入することにより読取室３に挿入した場合は、原稿５０は開口部６から現れる。
【００５８】
このように、読取室３に挿入した原稿５０を、さらに移動させる場合には、開口部６から現れる原稿５０を、使用者の指１０１によって移動させる。具体的には、原稿５０の画像の読み取り時に、画像読取装置１を持つ側の手１００の親指で、開口部６に現れている原稿５０に触れて、読取室３に挿入した原稿５０を、さらに読取室３の奥深くに移動させる。
【００５９】
原稿５０の画像を読み取る場合には、このように指１０１によって原稿５０を読取室３の奥深くに移動させるが、読取室３には、読取室３への原稿５０の挿入方向におけるスリット１０の反対側に、ストッパー１７が設けられている。このため、移動させた原稿５０がストッパー１７の位置に到達した場合には、原稿５０はストッパー１７に当接し、原稿５０は、挿入方向への移動が規制される。
【００６０】
また、ストッパー１７には、セット検知スイッチ１８が設けられているため、原稿５０がストッパー１７に当接した場合には、原稿５０はセット検知スイッチ１８にも当接する。原稿５０がセット検知スイッチ１８に当接した場合は、セット検知スイッチ１８は原稿５０が当接したことを検知し、これにより、セット検知スイッチ１８は、原稿５０がストッパー１７に当接することを検知する。センサ制御部４２は、このように原稿５０がストッパー１７に当接したことをセット検知スイッチ１８で検知した場合に、センサパネル２５に対して原稿５０の画像の読み取りを開始させる。
【００６１】
センサパネル２５は、このようにセンサ制御部４２からの画像の読み取りの開始指示により読取動作を行い、画像の読み取りを開始するが、原稿５０の画像の読み取りを行う場合には、使用者は開口部６から指１０１で原稿５０を移動させることにより、読み取り開始位置まで原稿５０を移動させる。このため、読み取りを開始した後も、指１０１で原稿５０に触れた状態で、センサパネル２５で原稿５０の画像の読み取りを行う。
【００６２】
ここで、指１０１で原稿５０を移動させる場合には、原稿５０を押さえつけながら、即ち、原稿５０をセンサパネル２５の方向に押しながら、所望の方向に移動させる。このように、原稿５０を指１０１で押さえる動作は、センサパネル２５で読取動作を開始した後も継続されるため、原稿５０の画像の読み取り時には、指１０１でセンサパネル２５の方向に原稿５０を押圧した状態が維持される。このため、原稿５０の画像の読み取り時には、原稿５０は指１０１からの力によってセンサパネル２５の方向に押し付けられ、原稿５０はセンサパネル２５に密着する。
【００６３】
また、上カバー５には、読取室３側の面に、弾力性を有する板バネ１４が設けられているため、原稿５０を読取室３に挿入した場合には、原稿５０は、この板バネ１４で発生する弾性力により、センサパネル２５の方向への付勢力が付与される。これにより、原稿５０は、指１０１からの力のみでなく、板バネ１４からの付勢力によっても、センサパネル２５の方向に押し付けられる。板バネ１４は、このように、読取室３に挿入された原稿５０をセンサパネル２５の方向に押圧する簡易な押圧機構として設けられており、原稿５０の画像の読み取り時には、指１０１で原稿５０を押す力と、板バネ１４の弾性力とにより、原稿５０はセンサパネル２５の方向に押し付けられ、センサパネル２５に密着する。センサパネル２５は、このように原稿５０がセンサパネル２５に密着した状態で、原稿５０の画像を読み取る。
【００６４】
なお、原稿５０の画像の読み取り時には、このように指１０１や板バネ１４によって原稿５０をセンサパネル２５の方向に押し付けながらセンサパネル２５上を移動させるため、センサパネル２５における画像の読み取り面には、透明で硬質のコーティング処理が施されるのが好ましい。
【００６５】
図１３は、原稿の画像の読み取り時における処理手順の概略を示すフロー図である。次に、実施形態１に係る画像読取装置１で原稿５０の画像を読み取る場合における制御方法、即ち、原稿５０の画像を読み取り時の処理手順の概略について説明する。実施形態１に係る画像読取装置１で原稿５０の画像を読み取る場合には、まず、原稿５０のセット完了を検出したか否かを判定する（ステップＳＴ１０１）。つまり、読取室３にはセット検知スイッチ１８が設けられており、セット検知スイッチ１８は、原稿５０が当該セット検知スイッチ１８に当接したことを検知した場合には、検知した結果を電気信号として、制御基板４０の処理部が有する原稿セット検出部４４に伝達する。
【００６６】
原稿セット検出部４４は、このセット検知スイッチ１８からの電気信号に基づいて、原稿５０のセット完了を検出し、原稿５０が、画像の読み取り可能な状態に読取室３にセットされたか否かを判断する。このように、セット検知スイッチ１８からの電気信号に基づいて、読取室３への原稿５０のセット状態を判断する原稿セット検出部４４で原稿５０のセット完了を検出しない場合には、セット完了を検出するまでセット検知スイッチ１８からの電気信号の取得を繰り返す。
【００６７】
これに対し、原稿セット検出部４４で原稿５０のセット完了を検出した場合には、読取動作を開始する（ステップＳＴ１０２）。つまり、原稿セット検出部４４で原稿５０のセット完了を検出した場合には、その旨をＣＰＵ４１に伝達し、ＣＰＵ４１から、画像の読取動作を開始する旨の電気信号をセンサ制御部４２に伝達する。この電気信号が伝達されたセンサ制御部４２は、センサパネル２５を制御し、センサパネル２５を作動させて、画像の読取動作をセンサパネル２５に行わせる。これにより、センサパネル２５は、読取動作を開始する。
【００６８】
このように、センサパネル２５での画像の読取動作について説明すると、センサパネル２５で原稿５０の画像を読み取る場合は、原稿５０をセンサパネル２５の受発光層２６におけるバックライト３０側の反対側に配置した状態で、センサパネル２５のバックライト３０が有するＬＥＤ３３を発光させる。ＬＥＤ３３で発した光は導光板３１で当該導光板３１全体に導かれ、また、反射板３２が位置している部分では、反射板３２によって反射する。このため、ＬＥＤ３３で発した光は、バックライト３０における反射板３２が位置している側の面の反対側の面から出光し、受発光層２６を照射する。即ち、画像の読み取り時には、ＬＥＤ３３を発光させることにより、バックライト３０で受発光層２６を照射する。
【００６９】
バックライト３０によって受発光層２６を照射した場合、バックライト３０からの光は受発光層２６が有するガラス基板２７を透過し、ガラス基板２７におけるバックライト３０が位置する側の面の反対側の面において、受光素子２８が配設されていない部分である発光部２９から原稿５０に向けて出光する。即ち、バックライト３０を発光させた場合には、発光部２９から原稿５０に対して照射する。
【００７０】
このように発光部２９から出光して原稿５０に到達した光は、原稿５０で反射をするが、その際に、原稿５０の表面の色など表面の状態に応じた反射光となって反射をする。原稿５０で反射した光は受発光層２６の方向に向かって反射し、受発光層２６に向かう。受発光層２６に向かった反射光は、受発光層２６における受光素子２８や発光部２９が位置している側の面から受発光層２６に到達する。これにより、受光素子２８は、原稿５０で反射した反射光を受光する。
【００７１】
原稿５０で反射した反射光は、原稿５０の表面の状態に応じた反射光になっており、受光素子２８は、受光した光に応じて電気信号を発生可能に設けられている。このため、原稿５０で反射した反射光を受光した受光素子２８は、受光した反射光が反射をした原稿５０の表面の状態に応じた電気信号を発生する。その際に、受光素子２８は、複数が二次元配列されているため、受光素子２８は原稿５０の二次元方向における位置ごとに、原稿５０で反射した反射光を受光し、原稿５０の表面の状態に応じた電気信号を発生する。このように受光素子２８で発生した電気信号は、制御基板４０に伝達され、制御基板４０の出力取込部４３でこの電気信号を取得することにより、原稿５０におけるセンサパネル２５が面している側の原稿５０の画像情報を取得する。これにより、原稿５０の画像を、電気的に処理することができる情報に変換した状態で、二次元方向に読み取る。即ち、原稿５０におけるセンサパネル２５に対向している面の画像を、センサパネル２５で読み取る。
【００７２】
読取動作を行うことにより、原稿５０の画像を読み取ったら、読取動作を完了する（ステップＳＴ１０３）。つまり、センサパネル２５や出力取込部４３で読取動作を行うことにより、センサパネル２５に対向した位置の原稿５０の全体の画像を読み取ったら、読取動作を終了する。
【００７３】
以上の画像読取装置１は、原稿５０の画像を読み取るセンサパネル２５は、受光素子２８が二次元配列され、原稿５０の画像を二次元方向に読み取ることが可能になっている。このため、原稿５０の画像を読み取る際に、原稿５０とセンサパネル２５とを相対的に移動させる必要がなくなるため、原稿５０の搬送機構等の機械的な走査機構が不要になり、装置の簡略化を図ることができる。また、原稿５０の画像の読み取り時に、このような機械的な走査機構を作動させないで読み取るので、画像を読み取っている最中に振動が発生した場合でも、原稿５０とセンサパネル２５との相対位置にブレを発生させることなく読み取ることができる。このため、走査機構を作動させて原稿５０の画像を読み取る場合のように、画像を読み取っている最中に振動が発生した場合に、原稿５０とセンサパネル２５との相対位置にブレが生じ、読み取った画像の画質が不鮮明になることを抑制できる。さらに、原稿５０の画像を読み取る際に、機械的な走査機構を作動させず、二次元配列された受光素子２８によって原稿５０の画像を二次元方向に読み取るので、短時間で読み取ることができる。これらの結果、装置を簡略化して、より小型化を図ると共に、鮮明な画像を短時間で読み取ることができる。
【００７４】
また、このように、原稿５０の画像を読み取る際には、短時間で読み取ることができるため、原稿５０を静止させる時間を短くすることができる。これにより、より確実に、原稿５０とセンサパネル２５との相対位置のブレを抑制することができる。この結果、より確実に、鮮明な画像を読み取ることができる。
【００７５】
また、上カバー５に、読取室３の開口部分である開口部６を形成しているため、原稿５０の画像の読み取り時に、原稿５０を読取室３に入り込ませた場合に、使用者が開口部６から指１０１で原稿５０を所望の位置に移動させ、原稿５０をセンサパネル２５の方向に指１０１で押さえつけることができる。これにより、原稿５０の搬送機構を省いた場合でも、容易に、原稿５０の画像をセンサパネル２５で読み取るのに適した位置に原稿５０を移動させることができる。さらに、原稿５０をセンサパネル２５の方向に指１０１で押さえつけることができるので、原稿５０を押圧する機構を省くことができる。これらの結果、より確実に、装置を簡略化して、より小型化を図ると共に、鮮明な画像を読み取ることができ、さらに、使い勝手の向上を図ることができる。
【００７６】
また、センサパネル２５は、二次元密着型のセンサパネル２５を用いており、原稿５０の画像の読み取り時には、原稿５０をセンサパネル２５に密着させた状態で読み取る。これにより、原稿５０の画像をセンサパネル２５で読み取る際に原稿５０を入り込ませる読取室３の厚さを薄くすることができ、画像読取装置１の全体の厚さを薄くすることができる。この結果、より確実に装置の小型化を図ることができる。
【００７７】
また、読取室３には、読取室３への原稿５０の挿入方向における開口部となる原稿挿抜口であるスリット１０の反対側に、原稿５０の移動を規制するストッパー１７が設けられている。これにより、原稿５０の画像の読み取り時に原稿５０を読取室３に挿入した場合には、ストッパー１７によって移動が規制されるまで原稿５０を移動させればよいので、容易に、原稿５０を適切な位置に配置することができる。従って、より確実に、且つ、容易に、原稿５０の所望の範囲をセンサパネル２５で読み取ることができる。この結果、原稿５０の画像を読み取る際における操作性を向上させることができる。
【００７８】
また、ストッパー１７にはセット検知スイッチ１８が設けられており、原稿５０の画像の読み取り時には、原稿５０がストッパー１７に当接したことをセット検知スイッチ１８で検知した場合に、読み取りを開始している。これにより、原稿５０の画像の読み取り時には、より確実に、原稿５０が所望の位置に配置された状態で読み取ることができる。さらに、このように、原稿５０がストッパー１７に当接したことを検知した場合に、読み取りを開始するので、原稿５０を所定の位置に配置した後、読み取り操作を独立して行う必要がなくなる。これにより、より容易に、原稿５０の画像を読み取ることができる。これらの結果、より確実に、原稿５０の画像を読み取る際における操作性を向上させることができる。
【００７９】
また、読取室３には、読取室３に挿入された原稿５０をセンサパネル２５の方向に押圧する板バネ１４が設けられているので、原稿５０をより確実に、センサパネル２５の方向に押圧することができる。これにより、原稿５０の画像を読み取る際に、より確実に原稿５０をセンサパネル２５に密着させた状態で読み取ることができる。この結果、より確実に、原稿５０の画像を鮮明に読み取ることができる。
【００８０】
また、スリット１０は、上側端部１１と下側端部１２とで、原稿５０の挿抜方向における位置を異ならせているので、原稿５０をスリット１０から読取室３に挿入する際に、一度に上側端部１１と下側端部１２との間に入れる必要が無くなる。これにより、原稿５０を容易にスリット１０から読取室３に挿入することができる。この結果、より確実に、原稿５０の画像を読み取る際における使い勝手を向上させることができる。
【００８１】
［実施形態２］
実施形態２に係る画像読取装置１は、実施形態１に係る画像読取装置と略同様の構成であるが、開口部６に開閉蓋６０が設けられている点に特徴がある。他の構成は実施形態１と同様なので、その説明を省略すると共に、同一の符号を付す。図１４は、実施形態２に係る画像読取装置１の要部断面図である。同図に示す実施形態２に係る画像読取装置１では、上カバー５に形成される開口部６には、画像読取装置１の不使用時など読取室３に原稿５０が挿入されていない場合に開口部６を閉じる蓋である開閉蓋６０を設けられている。この開閉蓋６０は、開口部６の開閉が可能になっており、読取室３への原稿５０の挿抜に連動して開閉可能な蓋部として設けられている。
【００８２】
詳しく説明すると、開閉蓋６０は、開口部６の開口方向に見た場合における形状が、少なくとも開口部６の開口面積よりも大きくなる形状、即ち、開口部６を閉じることができる形状で形成されており、上カバー５における読取室３側に配設されている。この開閉蓋６０には、原稿５０を読取室３に挿入した場合に、原稿５０が当接する部分である原稿当接部６１が設けられている。原稿当接部６１は、開閉蓋６０におけるセンサパネル２５側の部分、つまり、開閉蓋６０における開口部６が位置する側の反対側の面側に配設されている。
【００８３】
また、上カバー５には、開閉蓋６０が通る通路である開閉蓋ガイド６２が形成されている。この開閉蓋ガイド６２は、開口部６からストッパー１７の方向にかけて、開閉蓋６０が通ることが可能な溝状の形状で形成されている。また、このように形成される開閉蓋ガイド６２には、開閉蓋６０に付勢力を付与する弾性部材であるバネ６３が配設されている。このバネ６３は、開閉蓋６０に対して、開閉蓋６０が閉じる方向の付勢力を付与するようにストッパー１７と開閉蓋６０との間、或いはストッパー１７の近傍と開閉蓋６０との間に設けられている。つまり、バネ６３は、開閉蓋６０に対して、開閉蓋６０がストッパー１７側からスリット１０側に向かう方向の付勢力を付与するように設けられている。
【００８４】
図１５は、図１４に示す画像読取装置の構成の概略を示す図である。また、実施形態２に係る画像読取装置１では、原稿５０を読取室３に挿入した状態では、その状態を維持して原稿５０の移動を停止させる機構を有する原稿ロック部６５が設けられている。この原稿ロック部６５は、原稿５０を読取室３に挿入して開閉蓋６０が移動して開いた際に、開閉蓋６０を開いた状態でロックさせることにより、原稿５０の移動を停止させる。つまり、原稿ロック部６５は、原稿５０を読取室３に挿入した場合におけるセンサパネル２５での原稿５０の画像を読み取り中に、原稿５０の移動を停止させる移動停止機構として設けられている。
【００８５】
なお、この原稿ロック部６５は、機械的に作動する作動部分を設けて、開閉蓋６０を機械的に固定する機構であってもよく、または、機械的に作動する部分は設けずに、開閉蓋６０を電磁的に固定する機構であってもよい。原稿ロック部６５は、任意のタイミングでロック状態にしたりロックを解除したりすることができ、ロック状態の場合には、開閉蓋６０がバネ６３の付勢力を付与されても開閉蓋６０が開いた状態を維持することができる機構であれば、その形態は問わない。また、このように原稿ロック部６５を設ける場合には、制御基板４０の処理部に、原稿ロック部６５を制御する原稿ロック制御部７０を設け、この原稿ロック制御部７０で、原稿ロック部６５の作動を制御する。
【００８６】
また、実施形態２に係る画像読取装置１では、読取動作部４５は、読取室３への原稿５０の挿入状態に応じて電気を管理することが可能になっている。即ち、実施形態２に係る画像読取装置１には、読取動作部４５の各部に供給する電気の管理を、読取室３への原稿５０の挿入状態に基づいて行う電源管理部７５が設けられており、さらに、読取室３への原稿５０の挿入状態、即ち、読取室３に原稿５０が挿入されたことを検出して、検出結果を電源管理部７５に伝達する原稿挿入検出部８０が設けられている。
【００８７】
なお、原稿挿入検出部８０への電気の供給経路は、電源管理部７５によって管理をする読取動作部４５の電気の供給経路とは異なる経路になっている。また、原稿挿入検出部８０での原稿５０の検出手段は、原稿５０を読取室３に挿入した際に、原稿５０の挿入によって機械的に作動する部分を設けることによって検出してもよく、または、読取室３への原稿５０の挿入を光学的に検知することにより原稿５０の挿入を検出してもよい。
【００８８】
この実施形態２に係る画像読取装置１は、以上のごとき構成からなり、以下、その作用について説明する。図１６−１〜図１６−４は、図１４に示す画像読取装置での原稿の挿抜による開閉蓋の動作を示す説明図である。実施形態２に係る画像読取装置１で原稿５０の画像を読み取る場合は、開閉蓋６０が開口部６を閉じている状態で原稿５０をスリット１０から読取室３に入り込ませる。この原稿５０は、読取室３における開閉蓋６０とセンサパネル２５との間に挿入するが、読取室３には、開閉蓋６０に設けられる原稿当接部６１が、開閉蓋６０におけるセンサパネル２５側の部分に配設されている（図１６−１）。このため、読取室３に挿入した原稿５０は、開閉蓋６０の原稿当接部６１に当接する。
【００８９】
原稿５０が当接する開閉蓋６０には、バネ６３によってストッパー１７側からスリット１０の方向への付勢力が付与されているが、原稿５０が原稿当接部６１に当接した状態で原稿５０をストッパー１７の方向に押し込み、この押し込む力がバネ６３の付勢力を上回ると、開閉蓋６０は原稿５０と共にストッパー１７の方向に移動する。その際に、開閉蓋６０は、開閉蓋ガイド６２にガイドされながら、開閉蓋ガイド６２に沿って移動する。このように開閉蓋６０が原稿５０と共にストッパー１７の方向に移動すると、開閉蓋６０は開口部６を開く。開閉蓋６０が移動することによって開口部６が開かれると、原稿５０は開口部６から現れる状態になる。原稿５０が開口部６から現れたら、開口部６から使用者の指１０１で原稿５０に触れて、原稿５０をさらにストッパー１７の方向に移動させる（図１６−２）。
【００９０】
このように、原稿５０を開口部６から指１０１で移動させることにより、原稿５０がストッパー１７の近傍に到達した場合、開閉蓋６０がストッパー１７に当接する（図１６−３）。つまり、実施形態１に係る画像読取装置１では、読取室３には開閉蓋６０が設けられていないため、原稿５０を読取室３における奥深くまで挿入した場合には、ストッパー１７には原稿５０が当接する。これに対し、原稿当接部６１を有する開閉蓋６０では、原稿当接部６１が原稿５０とストッパー１７との間に位置するため、原稿５０を読取室３の奥深くまで挿入し、原稿５０がストッパー１７の近傍に到達した場合には、開閉蓋６０の原稿当接部６１がストッパー１７に当接する。これにより、原稿５０は、開閉蓋６０と共に挿入方向への移動がストッパー１７によって規制される。
【００９１】
また、このストッパー１７にはセット検知スイッチ１８が設けられているため、開閉蓋６０がストッパー１７に当接した場合には、開閉蓋６０はセット検知スイッチ１８にも当接する。これにより、セット検知スイッチ１８で開閉蓋６０の当接を検知した場合には、原稿ロック制御部７０で原稿ロック部６５を作動させることにより、開閉蓋６０の移動を停止させ、原稿５０の移動を停止させる。また、センサ制御部４２は、この状態でセンサパネル２５に原稿５０の画像の読み取りを行わせる。この場合、使用者は指１０１で原稿５０を押圧するため、センサパネル２５は原稿５０がセンサパネル２５に密着した状態で、原稿５０の画像を読み取る。
【００９２】
このように、センサパネル２５が原稿５０の画像の読み取りを行い、読み取りが完了した場合には、原稿ロック制御部７０は原稿ロック部６５による開閉蓋６０の移動の停止状態を解除し、原稿５０の移動停止状態を解除する。また、原稿５０の画像の読み取りが完了したら、使用者は、開口部６から原稿５０に対して押圧している指１０１を離す。原稿５０から指１０１を離すことにより、使用者から原稿５０に与えられていた力が除去された場合、使用者から原稿５０に与えられる力によりストッパー１７付近に位置していた開閉蓋６０は、バネ６３から付与される付勢力によってスリット１０の方向に移動する。このように開閉蓋６０が移動した場合、原稿５０は開閉蓋６０の原稿当接部６１に押されて、原稿５０も開閉蓋６０と共にスリット１０の方向に移動する（図１６−４）。即ち、原稿５０を押さえつけていた指１０１を離すと、弾力性を有するバネ６３の復元力により開閉蓋６０は開口部６を閉じる位置まで戻って開口部６を閉じ、原稿５０は排出される。
【００９３】
図１７は、実施形態２に係る画像読取装置で原稿の画像を読み取る場合における処理手順の概略を示すフロー図である。これらのように設けられる実施形態２に係る画像読取装置１で原稿５０の画像を読み取る場合における処理手順について説明すると、電源管理部７５は、待機状態の場合には読取動作部４５には電気を供給せず、読取動作部４５の各部の電源をＯＦＦにした状態で画像読取装置１は待機をする。この状態でも、読取動作部４５の電気の供給経路と供給経路が異なる原稿挿入検出部８０では、読取室３に挿入される原稿５０を検知し続け、原稿５０の挿入を検出したか否かを判定する（ステップＳＴ２０１）。原稿挿入検出部８０は、原稿５０の挿入を検出するまでは、原稿５０の挿入を検知し続ける。
【００９４】
原稿挿入検出部８０は、原稿５０の挿入を検出した場合には、原稿挿入検出部８０は原稿５０の挿入を検出したことを示す電気信号を電源管理部７５に送信する。この電気信号を受信した電源管理部７５は、読取動作部４５の各部の電源をＯＮにする（ステップＳＴ２０２）。これにより、読取動作部４５の各部に電気が供給され、読取動作部４５は作動を開始する。
【００９５】
読取動作部４５の作動を開始したら、原稿５０のセット完了を検出したか否かを判定する（ステップＳＴ２０３）。つまり、読取室３に挿入された原稿５０が開閉蓋６０の原稿当接部６１に当接して開閉蓋６０が原稿５０と共に移動し（図１６−２参照）、開閉蓋６０がセット検知スイッチ１８に当接したことを検知した場合には（図１６−３参照）、検知した結果を電気信号として、セット検知スイッチ１８は原稿セット検出部４４に伝達する。原稿セット検出部４４は、この電気信号に基づいて原稿５０が読取室３にセットされたか否かを判断し、原稿セット検出部４４で原稿５０のセット完了を検出しない場合には、セット完了を検出するまでセット検知スイッチ１８からの電気信号の取得を繰り返す。
【００９６】
これに対し、原稿セット検出部４４で原稿５０のセット完了を検出した場合には、原稿５０をロックする（ステップＳＴ２０４）。つまり、原稿セット検出部４４で原稿５０のセット完了を検出した場合には、その旨をＣＰＵ４１に伝達し、ＣＰＵ４１から、原稿５０をロックする旨の電気信号を原稿ロック制御部７０に伝達する。この電気信号が伝達された原稿ロック制御部７０は、原稿ロック部６５を制御し、原稿ロック部６５を作動させて、開閉蓋６０の移動を停止することを介して原稿５０の移動を停止する。これにより、原稿ロック部６５は原稿５０をロックする。
【００９７】
次に、読取動作を開始する（ステップＳＴ２０５）。つまり、センサ制御部４２でセンサパネル２５を制御し、画像の読取動作をセンサパネル２５に行わせることにより、読取動作を開始する。読取動作を行うことにより、センサパネル２５や出力取込部４３でセンサパネル２５に対向した位置の原稿５０の全体の画像を読み取ったら、読取動作を完了する（ステップＳＴ２０６）。
【００９８】
次に、原稿５０のロックを解除する（ステップＳＴ２０７）。この原稿５０のロックの解除は、原稿ロック制御部７０で原稿ロック部６５を制御することにより、原稿ロック部６５で開閉蓋６０の移動を停止した状態を解除する。これにより、原稿５０の移動を停止した状態を解除し、原稿５０のロックを解除する。
【００９９】
次に、原稿５０の排出を検出したか否かを判定する（ステップＳＴ２０８）。つまり、原稿挿入検出部８０は、原稿５０の挿入状態を検知するが、この原稿挿入検出部８０で原稿５０を検出しなくなったら、原稿５０が排出されたと判断することができる。このため、原稿挿入検出部８０で原稿５０が検出されるか否かを判断し、原稿５０が検出されなくなるまで、原稿５０の挿入状態を検知し続ける。
【０１００】
原稿挿入検出部８０で原稿５０が検出されなくなった場合、即ち、原稿５０の排出を検出した場合には、読取動作部４５の各部の電源をＯＦＦにする（ステップＳＴ２０９）。つまり、原稿挿入検出部８０は、原稿５０の排出を検出した場合には、電源管理部７５にその旨の電気信号を送信する、または、原稿５０を検出した場合に送信をする電気信号を停止する。これにより、電源管理部７５は、読取動作部４５の各部に供給する電気を停止する。
【０１０１】
以上の画像読取装置１では、開口部６に、読取室３への原稿５０の挿抜に連動して開閉可能な開閉蓋６０が設けられている。このため、読取室３に原稿５０が挿入されていない場合に、読取室３の開口部分である開口部６からゴミ等が読取室３に侵入することを抑制し、センサパネル２５に埃等が付着することを抑制することができる。これにより、センサパネル２５における原稿５０の画像を読み取る面を、綺麗な状態に維持することができる。この結果、より確実に、原稿５０の画像を鮮明に読み取ることができる。
【０１０２】
また、センサパネル２５での原稿５０の画像の読み取り中に、原稿５０の移動を停止させる原稿ロック部６５を備えているので、原稿５０を読み取っている最中に原稿５０が移動することを抑制することができる。これにより、原稿５０の画像を読み取っている最中の原稿５０が移動することに起因して、読み取った画像がブレた状態になることを抑制することができる。この結果、より確実に、原稿５０の画像を読み取る際における使い勝手を向上させることができ、また、より確実に、原稿５０の画像を鮮明に読み取ることができる。
【０１０３】
また、読取動作部４５の各部に供給する電気の管理を行う電源管理部７５が設けられており、読取動作部４５の各部への電気の供給は、読取室３への原稿５０の挿入状態に基づいて、この電源管理部７５によって電気の管理を行っている。これにより、原稿５０の画像を読み取る際に、手動で電源を入れる必要が無く、また、画像の読み取り時以外は、電気の供給を停止することにより、電気の消費量を低減することができる。この結果、より確実に、原稿５０の画像を読み取る際における操作性を向上させることができ、また、消費電力の低減を図ることができる。
【０１０４】
なお、実施形態１、２に係る画像読取装置１のように、使用者が指１０１で原稿５０を押さえつけた状態で原稿５０の画像を読み取る画像読取装置１の場合は、センサパネル２５での原稿５０の画像の読取状態を通知する読取状態通知部を備えるのが好ましい。この読取状態通知部は、通知音や音声等を発するスピーカを設け、スピーカから発する音によって読取状態を通知してもよく、または、ＬＥＤやＬＣＤ（Ｌｉｑｕｉｄ  Ｃｒｙｓｔａｌ  Ｄｉｓｐｌａｙ）等の表示部を設け、この表示部による発光や表示を用いて読取状態を通知してもよい。このような読取状態通知部を設けることにより、センサパネル２５で原稿５０の画像を読み取る際に、原稿５０の画像の読取状態を使用者が容易に認識することができ、例えば、現在原稿５０を読み取っている状態であるか否かを、容易に認識することができる。これにより、原稿５０を押さえつける力を除去するタイミングを、容易に認識することができる。この結果、より確実に、原稿５０の画像を読み取る際における使い勝手を向上させることができる。
【０１０５】
図１８は、実施形態１に係る画像読取装置の変形例であり、上カバーを本体部側から見た場合における平面図である。図１９は、読取室の幅に対する幅が小さい原稿を読取室に挿入する場合における説明図である。図２０は、図１８に示す画像読取装置の読取室に原稿を挿入する場合における説明図である。また、実施形態１に係る画像読取装置１では、セット検知スイッチ１８はストッパー１７に１つが設けられているが、セット検知スイッチ１８は複数が設けられていてもよく、例えば、図１８に示すように、セット検知スイッチ１８は２つ設けてもよい。つまり、実施形態１に係る画像読取装置１では、画像を読み取る原稿５０の大きさが決まっており、対向する２つのサイドガイド１６同士の距離は、原稿５０の幅よりも、若干大きい程度の距離になっている。これに対し、画像を読み取る原稿５０の大きさが決まっておらず、読取室３における原稿５０の挿入方向両側に位置する壁部であるサイド部９０同士の距離を設定する際における基準が明確ではない場合には、セット検知スイッチ１８は２つ設けてもよい。また、このように、セット検知スイッチ１８を２つ設ける場合は、原稿５０が双方のセット検知スイッチ１８に当接した場合に、原稿５０のセット完了を検出するのが好ましい。
【０１０６】
つまり、画像を読み取る原稿５０の大きさが決まっている場合には、原稿５０はサイドガイド１６（図１０参照）によって向きが調節されるため、原稿５０は概ね挿入方向に対して平行な向きで挿入される。このため、セット検知スイッチ１８が１つしか設けられていない場合でも、原稿５０がセット検知スイッチ１８に当接した場合には、原稿５０は適切な向きでセットされたことを示しており、原稿５０がセット検知スイッチ１８に当接してから読取動作を開始することにより、正常な読み取りを行うことができる。
【０１０７】
これに対し、画像を読み取る原稿５０の大きさが決まっていない場合、読取室３には、サイド部９０同士の距離よりも幅が小さい原稿５０が挿入される場合がある。この場合、原稿５０は、挿入される位置や角度が一律な状態にはならないで挿入される。このため、セット検知スイッチ１８が１つしか設けられていない場合、例えば、図１９に示すように、原稿５０が読取室３に対して斜めになった状態で挿入された場合でも、原稿５０がセット検知スイッチ１８に当接する場合がある。原稿５０がセット検知スイッチ１８に当接した場合、原稿セット検出部４４は、原稿５０のセットが完了したことを検知するため、サイド部９０同士の距離に対して幅が小さい原稿５０が挿入された場合には、このように原稿５０が斜めに挿入された場合でも、原稿５０のセット完了を検出する場合がある。この場合、原稿５０が斜めに挿入されているにも関わらず、原稿５０の画像の読み取りを開始するため、原稿５０の画像を正確に読み取ることができない場合がある。
【０１０８】
そこで、画像を読み取る原稿５０の大きさが決まっていない場合には、セット検知スイッチ１８を２つ設け、サイド部９０同士の距離よりも幅が小さい原稿５０が読取室３に挿入された場合には、図２０に示すように、原稿５０が、２つのセット検知スイッチ１８に当接しているか否かを検知することにより、原稿５０が適切な向きでセット完了したか否かを検知することができる。これにより、原稿５０の大きさが決まっていない場合でも、原稿５０が適切な向きでセットされたことを検出することができ、原稿５０が適切な向きでセットされてから、読取動作を開始することができる。この結果、原稿５０の大きさに関わらず、より確実に原稿５０の画像を適切に読み取ることができる。
【０１０９】
図２１、図２２は、開口部の変形例を示す説明図である。また、上述した画像読取装置１では、開口部６は１つの長穴状の形状で上カバー５に形成されているが、開口部６はこれ以外の形態によって形成されていてもよい。例えば、図２１に示すように、開口部６はスリット１０の上側端部１１に接続されることによりスリット１０に開口し、Ｕ字状の形状で形成されていてもよい。また、図２２に示すように、上カバー５に２つが設けられていてもよい。これらのように、開口部６は、原稿５０の挿抜方向に直交する方向に開口した読取室３の開口部分として設けられることにより、読取室３に挿入された原稿５０を指１０１で移動させたり、原稿５０をセンサパネル２５の方向に押さえつけたりすることができるように設けられていれば、その形態は問わない。
【０１１０】
同様に、上カバー５に形成される板バネ１４は、上述した形態以外で設けられていてもよい。即ち、板バネ１４によって例示した、読取室３に挿入された原稿５０をセンサパネル２５の方向に押圧する簡易な押圧機構は、その数や形態は、上述した板バネ１４以外によって形成されていてもよい。
【０１１１】
また、上述した画像読取装置１では、スリット１０は上側端部１１と下側端部１２とが上カバー５に形成されているが、双方が上カバー５に設けられていなくてもよく、例えば、下側端部１２は本体部２０に設けられていてもよい。スリット１０は、読取室３への原稿５０の挿抜が可能な読取室３の原稿挿抜口として設けられ、上側端部１１と下側端部１２とで原稿５０の挿抜方向における位置が異なっていればよい。
【産業上の利用可能性】
【０１１２】
以上のように、本発明に係る画像読取装置は、画像を電気的に読み取る画像読取装置に有用であり、特に、画像を読み取る部分に原稿を密着させて読み取る画像読取装置に適している。
【符号の説明】
【０１１３】
１  画像読取装置
３  読取室
５  上カバー
６  開口部
１０  スリット
１４  板バネ
１７  ストッパー
１８  セット検知スイッチ
２５  センサパネル
４０  制御基板
４２  センサ制御部
４３  出力取込部
４４  原稿セット検出部
５０  原稿
６０  開閉蓋
６５  原稿ロック部
７０  原稿ロック制御部
７５  電源管理部
【図１】
0005607981.tif 000002
【図２】
0005607981.tif 000003
【図３】
0005607981.tif 000004
【図４】
0005607981.tif 000005
【図５】
0005607981.tif 000006
【図６】
0005607981.tif 000007
【図７】
0005607981.tif 000008
【図８】
0005607981.tif 000009
【図９】
0005607981.tif 000010
【図１０】
0005607981.tif 000011
【図１１】
0005607981.tif 000012
【図１２】
0005607981.tif 000013
【図１３】
0005607981.tif 000014
【図１４】
0005607981.tif 000015
【図１５】
0005607981.tif 000016
【図１６−１】
0005607981.tif 000017
【図１６−２】
0005607981.tif 000018
【図１６−３】
0005607981.tif 000019
【図１６−４】
0005607981.tif 000020
【図１７】
0005607981.tif 000021
【図１８】
0005607981.tif 000022
【図１９】
0005607981.tif 000023
【図２０】
0005607981.tif 000024
【図２１】
0005607981.tif 000025
【図２２】
0005607981.tif 000026